(57)【要約】【課題】ケーブルが基板側のコネクタから抜けることを防ぐことができる画像形成装置を提供する。【解決手段】画像形成装置１は、装置本体２と、増設基板３３と、増設基板３３を覆うシールド部材６０と、第１端子３７ｂと第１面３７ａを有する第１端子保持部３７とを有するＵＳＢケーブル３８と、第２端子３６ｂと第２面３６ａを有する第２端子保持部３６ｃとを有し、第２端子３６ｂと第１端子３７ｂとが嵌合する方向が増設基板３３の平面方向と平行となるように増設基板３３に設けられる第３ＵＳＢコネクタ３６とを備え、シールド部材６０は、第１延出部６２と、第２延出部６３とを有し、第１延出部６２は第１面３７ａに当接し、第２延出部６３は第２面３６ａに当接し、第１延出部６２および第２延出部６３の少なくともいずれか一方は、第１端子３７ｂと第２端子３６ｂを嵌合する方向に対して付勢力を有する弾性部材である。【選択図】図５
2019091786.tif 000002
【特許請求の範囲】
【請求項１】
装置本体と、
前記装置本体に装着される基板と、
前記基板の平面に平行な面を有し、前記基板を覆うシールド部材と、
第１端子と、前記第１端子を保持し、かつ、前記第１端子と対向する位置に第１面を有する第１端子保持部と、を有するケーブルと、
第２端子と、前記第２端子を保持し、かつ、前記第２端子と対向する位置に第２面を有する第２端子保持部と、を有し、前記第１端子と前記第２端子とが嵌合することによって前記ケーブルが接続され、前記第２端子と前記第１端子とが嵌合する方向が前記基板の平面方向と平行な方向となるように、前記基板上に設けられるコネクタと、
を備え、
前記シールド部材は、
前記シールド部材の前記平行な面から延出する第１延出部と、
前記シールド部材の前記平行な面から延出する第２延出部と、を有し、
前記第１延出部は、前記第１端子保持部の前記第１面に当接し、
前記第２延出部は、前記第２端子保持部の前記第２面に当接し、
前記第１延出部および前記第２延出部の少なくともいずれか一方は、前記第１端子と前記第２端子を嵌合する方向に対して付勢力を有する弾性部材である、
画像形成装置。
【請求項２】
前記第１延出部は、前記嵌合する方向に直交する面を有する板状部材であり、
前記第２延出部は、前記嵌合する方向に対して付勢力を有する前記弾性部材である、
ことを特徴とする請求項１に記載の画像形成装置。
【請求項３】
前記第２端子保持部の少なくとも前記第２面が金属で覆われ、
前記第１端子保持部の少なくとも前記第１面が樹脂部材にて形成される、
ことを特徴とする請求項２に記載の画像形成装置。
【請求項４】
前記第１延出部は、前記シールド部材の前記平行な面の板面から前記基板側へ向けて延出する第１板状部材であり、
前記第２延出部は、前記シールド部材の前記平行な面の板面から前記基板側へ向けて延出する第２板状部材であり、
前記第２板状部材の前記平行な面の板面からの延出長さが、前記第１板状部材の前記平行な面の板面からの延出長さよりも大きく、
前記第２延出部は、前記第２板状部材における前記基板側部分の板面を貫通する第１孔部を有する、
ことを特徴とする請求項２〜請求項３の何れか一項に記載の画像形成装置。
【請求項５】
前記シールド部材の前記平行な面は、前記第２端子保持部および第１端子保持部と対向する箇所に第２孔部を有し、
前記第１延出部は、前記平行な面の前記第２孔部に対応する部分の前記嵌合する方向における前記第１端子保持部側の一部が、前記第２孔部の前記嵌合する方向における前記第１端子保持部側の縁部にて前記基板側に屈曲した板状部材により形成され、
前記第２延出部は、前記平行な面の前記第２孔部に対応する部分の前記嵌合する方向における前記第２端子保持部側の一部が、前記第２孔部の前記嵌合する方向における前記第２端子保持部側の縁部にて前記基板側に屈曲した板状部材により形成される、
ことを特徴とする請求項４に記載の画像形成装置。
【請求項６】
前記第２端子保持部に保持される前記第２端子は、前記基板の前記平面と直交する方向において、前記第２端子に前記第１端子が接続された前記第１端子保持部が前記基板の前記平面から離間する位置に配置されている、
ことを特徴とする請求項１〜請求項５の何れか一項に記載の画像形成装置。
【請求項７】
前記装置本体に装着される基板および前記シールド部材が通過可能な開口部を有し、前記装置本体を覆う筐体カバーと、
前記筐体カバーに揺動可能に支持され、前記開口部を閉塞する閉位置と前記開口部を開放する開位置との間で変位可能な開閉カバーと、をさらに備え、
前記開閉カバーが前記開位置に変位すると、前記シールド部材が前記開口部から露出し、
前記開閉カバーが閉位置に変位すると、前記シールド部材が前記開閉カバーにより覆われる、
ことを特徴とする請求項１〜請求項６の何れか一項に記載の画像形成装置。
【請求項８】
前記第１端子保持部においては、前記第１端子と前記第２端子とが嵌合した際に、前記ケーブルが前記第１端子保持部から前記嵌合する方向と直交する方向、かつ前記基板の前記平面に平行な面に沿って延出する、
ことを特徴とする請求項１〜請求項７の何れか一項に記載の画像形成装置。
【請求項９】
前記第１端子は、雄側端子にて構成され、
前記第２端子は、雌側端子にて構成される、
ことを特徴とする請求項１〜請求項８の何れか一項に記載の画像形成装置。
【請求項１０】
前記コネクタは、ＵＳＢ規格に準拠したコネクタであり、
前記ケーブルは、ＵＳＢ規格に準拠したケーブルである、
ことを特徴とする請求項１〜請求項９の何れか一項に記載の画像形成装置。
【発明の詳細な説明】
【技術分野】
【０００１】
本発明は、ケーブルが接続される画像形成装置に関する。
【背景技術】
【０００２】
従来、筐体と、筐体の内部に設けられるプリント配線基板と、プリント配線基板に実装され、ケーブル側のコネクタが接続される基板側のコネクタとを備えた、画像形成装置等の情報処理装置が知られている。
【０００３】
このような情報処理装置においては、例えば特許文献１に開示されるように、基板側のコネクタは、ケーブルが接続されたときにケーブルハウジングが筐体の外形より外側に出ない位置に設けられており、ケーブルハウジングが、筐体の外形の一部を形成するカバーによって覆われるように構成されている。カバーは、ケーブルハウジングを、基板側のコネクタとケーブルとの接続方向の一側から押さえており、ケーブルが基板側のコネクタから抜けることを防いでいる。
【先行技術文献】
【特許文献】
【０００４】
【特許文献１】特開２００１−２６６９９３号公報
【発明の概要】
【発明が解決しようとする課題】
【０００５】
しかし、前述の情報処理装置においては、ケーブルハウジングを筐体の一部を形成するカバーにより接続方向の一側から押さえる構成であったため、プリント配線基板や筐体が有する寸法公差の大きさによっては、プリント配線基板に実装されるコネクタのカバーに対する位置が大きくずれることとなる。
例えば、基板側のコネクタの位置が、カバーから離れる方向にずれた場合、カバーによってケーブルハウジングを十分に押えることができず、ケーブルが基板側のコネクタから抜けるおそれがあった。
【０００６】
そこで、本発明においては、基板側のコネクタおよびケーブルを適切に押えて、ケーブルが基板側のコネクタから抜けることを防ぐことができる画像形成装置を提供するものである。
【課題を解決するための手段】
【０００７】
上記課題を解決する画像形成装置は、以下の特徴を有する。
即ち、画像形成装置は、装置本体と、前記装置本体に装着される基板と、前記基板の平面に平行な面を有し、前記基板を覆うシールド部材と、第１端子と、前記第１端子を保持し、かつ、前記第１端子と対向する位置に第１面を有する第１端子保持部と、を有するケーブルと、第２端子と、前記第２端子を保持し、かつ、前記第２端子と対向する位置に第２面を有する第２端子保持部と、を有し、前記第１端子と前記第２端子とが嵌合することによって前記ケーブルが接続され、前記第２端子と前記第１端子とが嵌合する方向が前記基板の平面方向と平行な方向となるように、前記基板上に設けられるコネクタと、を備え、前記シールド部材は、前記シールド部材の前記平行な面から延出する第１延出部と、前記シールド部材の前記平行な面から延出する第２延出部と、を有し、前記第１延出部は、前記第１端子保持部の前記第１面に当接し、前記第２延出部は、前記第２端子保持部の前記第２面に当接し、前記第１延出部および前記第２延出部の少なくともいずれか一方は、前記第１端子と前記第２端子を嵌合する方向に対して付勢力を有する弾性部材である。
【発明の効果】
【０００８】
本発明によれば、第１延出部および第２延出部を、適切な位置で第１端子保持部の第１面および第２端子保持部の第２面に当接させることができ、ケーブルがコネクタから抜けることを防ぐことが可能となる。
【図面の簡単な説明】
【０００９】
【図１】開閉カバーが閉位置に変位した状態の画像形成装置を示す斜視図である。
【図２】開閉カバーが開位置に変位し、装置本体に増設基板およびシールド部材が装着された状態の画像形成装置を示す斜視図である。
【図３】開閉カバーが開位置に変位し、装置本体に増設基板が装着されるとともに、装置本体からシールド部材が取り外された状態の画像形成装置を示す斜視図である。
【図４】開閉カバーが開位置に変位し、装置本体から増設基板およびシールド部材が取り外された状態の画像形成装置を示す斜視図である。
【図５】画像形成装置の左端側後部を示す底面断面図である。
【図６】開閉カバーが開位置に変位した状態の画像形成装置の左端側後部を示す斜視図である。
【図７】シールド部材を示す斜視図である。
【図８】シールド部材を示す左側面図である。
【図９】シールド部材を示す底面断面図である。
【図１０】装置本体に装着され、第１延出部および第２延出部により第１端子保持部および第２端子保持部を挟み込んだ状態のシールド部材を示す底面断面図である。
【発明を実施するための形態】
【００１０】
次に、本発明を実施するための形態を、添付の図面を用いて説明する。
【００１１】
[画像形成装置]
図１に示す画像形成装置１は、本発明に係る画像形成装置の一実施形態である。
以下の説明においては、図１に示すように画像形成装置１が使用可能に設置された状態を基準として、前後、左右、上下の各方向を定める。
【００１２】
図１〜図５に示すように、画像形成装置１は、装置本体２と、シートを収容するシートカセット３と、シートに画像を形成する画像形成部６とを備えている。
装置本体２は、シートカセット３および画像形成部６を収容している。
【００１３】
画像形成装置１は、左側面カバー２１、右側面カバー２２、上面カバー２３、前面カバー２４、および後面カバー２５を有している。
左側面カバー２１は装置本体２の左側面を覆い、右側面カバー２２は装置本体２の右側面を覆い、上面カバー２３は装置本体２の上面を覆い、前面カバー２４は装置本体２の前面を覆い、後面カバー２５は装置本体２の後面を覆っている。左側面カバー２１は筐体カバーの一例である。
【００１４】
上面カバー２３の略中央部には、画像形成部６により画像が形成されたシートが排出される排紙トレイ２３ａが形成されている。上面カバー２３における左側の前部には、画像形成装置１に対する入力操作を行う操作部４が設けられている。
装置本体２の下部にはシートカセット３が配置されており、シートカセット３の上方に画像形成部６が配置されている。画像形成部６の画像形成方式は特に限定されるものではなく、例えばレーザプリント方式やインクジェットプリント方式を採用することができる。
【００１５】
左側面カバー２１は開口部２１ａを有している。左側面カバー２１には、開口部２１ａを閉塞する閉位置と開口部２１ａを開放する開位置との間で変位可能な開閉カバー２８が揺動可能に支持されている。
開口部２１ａは、開閉カバー２８が開位置にあるときに、装置本体２に支持される板金フレーム２７が開口部２１ａから露出する位置に配置されており、画像形成装置１の外部から開口部２１ａを通じて増設基板３３を板金フレーム２７に装着することが可能となっている。
【００１６】
つまり、左側面カバー２１の開口部２１ａは、増設基板３３が通過可能に構成されている。このように、左側面カバー２１は増設基板３３が通過可能であり開閉カバー２８により開閉される開口部２１ａを有している。増設基板３３は、装置本体２に装着される基板の一例である。
【００１７】
図５に示すように、画像形成装置１は、装置本体２の本体フレーム２６に支持されるメイン基板３１を有している。メイン基板３１は、装置本体２に予め装着されている。メイン基板３１には、外部からの情報を画像形成装置１内にＵＳＢ経由で入力するための第１ＵＳＢポートを構成する第１ＵＳＢコネクタ３２が実装されている。また、メイン基板３１には、第１ＵＳＢコネクタ３２を介して送られるデータの処理や画像形成部６を制御する制御部であるＡＳＩＣが搭載されている。第１ＵＳＢコネクタ３２は、雌側端子を有する雌側コネクタにて構成されている。
左側面カバー２１は後方に面する後面２１１を有しており、後面２１１には第１ポート開口部２１ｂが形成されている。第１ポート開口部２１ｂからは、第１ＵＳＢコネクタ３２が露出している。
【００１８】
増設基板３３は、メモリ、ＬＡＮボード、またはセキュリティーボード等の所定の機能を有し、画像形成装置１に増設することが可能な基板である。
増設基板３３には、第２ＵＳＢコネクタ３４、ＬＡＮコネクタ３５、および第３ＵＳＢコネクタ３６が実装されている。
【００１９】
第２ＵＳＢコネクタ３４は、外部からの情報を増設基板３３にＵＳＢ経由で入力するための第２ＵＳＢポートを構成するコネクタである。第２ＵＳＢコネクタ３４は、雌側端子を有する雌側コネクタにて構成されている。
ＬＡＮコネクタ３５は、外部からの情報を増設基板３３にＬＡＮ経由で入力するためのＬＡＮポートを構成するコネクタである。ＬＡＮコネクタ３５は、雌側端子を有する雌側コネクタにて構成されている。
【００２０】
左側面カバー２１の後面２１１には第２ポート開口部２１ｃおよび第３ポート開口部２１ｄが形成されている。増設基板３３が板金フレーム２７に装着された状態においては、第２ポート開口部２１ｃから第２ＵＳＢコネクタ３４が露出し、第３ポート開口部２１ｄからＬＡＮコネクタ３５が露出している。
【００２１】
第３ＵＳＢコネクタ３６は、増設基板３３に入力され増設基板３３にて処理された情報を増設基板３３の外部にＵＳＢ経由で出力するための第３ＵＳＢポートを構成するコネクタである。第３ＵＳＢコネクタ３６は、基板上に設けられるコネクタの一例である。
【００２２】
図５に示すように、第３ＵＳＢコネクタ３６は、第２端子３６ｂと、第２端子３６ｂを保持し、かつ、第２端子３６ｂと対向する位置に第２面３６ａを有する第２端子保持部３６ｃとを有している。第２端子３６ｂは雌側端子にて構成されている。第３ＵＳＢコネクタ３６は雌側コネクタにて構成されている。第２端子保持部３６ｃは、所謂コネクタハウジングである。
第２面３６ａと第２端子３６ｂとは、前後方向において対向しており、第２面３６ａは第２端子３６ｂよりも後方に配置されている。
【００２３】
画像形成装置１は、一端に第１端子保持部３７が設けられ、他端に第３端子保持部３９が設けられたＵＳＢケーブル３８を有している。ＵＳＢケーブル３８は第１端子保持部を有するケーブルの一例である。
【００２４】
図５に示すように、ＵＳＢケーブル３８は第１端子３７ｂを有している。第１端子保持部３７は第１端子３７ｂを保持しており、かつ、第１端子３７ｂと対向する位置に第１面３７ａを有している。第１面３７ａと第１端子３７ｂとは、前後方向において対向しており、第１面３７ａは第１端子３７ｂよりも前方に配置されている。第１端子３７ｂは雄側端子にて構成されている。
ＵＳＢケーブル３８は第３端子（図示せず）を有している。第３端子は第３端子保持部３９により保持されている。
【００２５】
第１端子保持部３７および第３端子保持部３９は、所謂ケーブルハウジングである。
第１端子保持部３７は第３ＵＳＢコネクタ３６に接続され、第３端子保持部３９は第１ＵＳＢコネクタ３２に接続されている。
【００２６】
第１端子保持部３７の第１端子３７ｂと、第３ＵＳＢコネクタ３６の第２端子３６ｂとは、互いに嵌合可能に構成されており、第１端子３７ｂと第２端子３６ｂとが嵌合することにより、ＵＳＢケーブル３８と第３ＵＳＢコネクタ３６とが接続される。
【００２７】
第３ＵＳＢコネクタ３６は、第１端子３７ｂと第２端子３６ｂとが嵌合した場合に、第１端子３７ｂと第２端子３６ｂとが嵌合する方向が、増設基板３３の平面方向と平行な方向となるように増設基板３３上に設けられている。
本実施形態においては、第１端子３７ｂと第２端子３６ｂとが嵌合する方向は、前後方向となっており、第１端子３７ｂは、第２端子３６ｂに対して前方から後方に向かって嵌合する。
【００２８】
画像形成装置１においては、例えば第２ＵＳＢコネクタ３４に入力された情報は増設基板３３にて処理された後に第３ＵＳＢコネクタ３６から出力され、第３ＵＳＢコネクタ３６から出力された情報はＵＳＢケーブル３８を通じて第１ＵＳＢコネクタ３２に入力されるように構成されている。
【００２９】
第１ＵＳＢコネクタ３２、第２ＵＳＢコネクタ３４、および第３ＵＳＢコネクタ３６は、ＵＳＢ規格に準拠したコネクタである。第１端子保持部３７および第３端子保持部３９が設けられたＵＳＢケーブル３８は、ＵＳＢ規格に準拠したケーブルである。
第１ＵＳＢコネクタ３２、第２ＵＳＢコネクタ３４、第３ＵＳＢコネクタ３６、およびＵＳＢケーブル３８は、画像形成装置１および増設基板３３に対する情報の入出力をＵＳＢ経由で行うことを可能としている。
【００３０】
板金フレーム２７には、増設基板３３と左側面カバー２１における開閉カバー２８との間に配置されるシールド部材６０が取り付けられている。シールド部材６０は、増設基板３３の平面に平行な面を有し、増設基板３３を覆っている。
左側面カバー２１の開口部２１ａはシールド部材６０が通過可能に構成されており、画像形成装置１の外部から開口部２１ａを通じてシールド部材６０を板金フレーム２７に取り付けることが可能となっている。
【００３１】
シールド部材６０は、開閉カバー２８が開位置にあるときには開口部２１ａから露出し、開閉カバー２８が閉位置にあるときには開閉カバー２８により覆われる。
つまり、画像形成装置１においては、開閉カバー２８が開位置に変位すると、シールド部材６０が開口部２１ａから露出し、開閉カバー２８が閉位置に変位すると、シールド部材６０が開閉カバー２８により覆われるように構成されている。
このように、閉位置に変位した開閉カバー２８によりシールド部材６０を覆うことで、開閉カバー２８によりシールド部材６０を外力等から保護することが可能になっている。
【００３２】
画像形成装置１において増設基板３３およびシールド部材６０を装着する場合は、図４に示すように開閉カバー２８を開位置に変位させた後に、図３に示すように増設基板３３を板金フレーム２７に取り付ける。増設基板３３を取り付けた後、ＵＳＢケーブル３８の第１端子保持部３７を第３ＵＳＢコネクタ３６に接続するとともに、ＵＳＢケーブル３８の第３端子保持部３９を第１ＵＳＢコネクタ３２に接続する。その後、図２に示すように、シールド部材６０を板金フレーム２７に取り付けて、シールド部材６０により増設基板３３を覆う。さらに、図１に示すように、開閉カバー２８を閉位置に変位させて、開閉カバー２８によりシールド部材６０を覆う。
【００３３】
[シールド部材]
図５〜図８に示すように、シールド部材６０は、金属からなる板状部材である板金部材にて形成されており、被覆部６１、第１延出部６２、第２延出部６３、第１脚部６４、第２脚部６５、および第３脚部６６を有している。
被覆部６１は、略矩形の平板状に形成されており、増設基板３３の基板面である平面と被覆部６１の板面とが対向するように配置されている。被覆部６１の板面は増設基板３３の平面と並行な面である。つまり、被覆部６１は増設基板３３の平面と並行な面を有しており、増設基板３３を覆っている。
【００３４】
被覆部６１は、板面に孔部６１ａを有している。孔部６１ａは、前後方向を長手方向とする略矩形状に形成されている。孔部６１ａは、互いに接続される第１端子保持部３７および第３ＵＳＢコネクタ３６の第２端子保持部３６ｃと対向する箇所に位置している。孔部６１ａは第２孔部の一例である。
【００３５】
第１脚部６４は、被覆部６１の下端から増設基板３３側へ向けて延出する板状部材である。第１脚部６４は、被覆部６１の下辺における略全域にわたって形成されている。第１脚部６４における増設基板３３側の端部には、固定部６４ａが形成されている。固定部６４ａは、第１脚部６４の増設基板３３側の端部から下方へ向けて延出している。
【００３６】
固定部６４ａには、前後方向を長手方向とする長円形状に形成される固定用孔６４ｂが形成されており、ビス等の締結部材を固定用孔６４ｂに挿通するとともに板金フレーム２７に締結することで、固定部６４ａが板金フレーム２７に固定される。本実施形態においては、固定部６４ａは、第１脚部６４の前端部および後端部の２箇所に形成されている。
【００３７】
第２脚部６５は、被覆部６１の上端から増設基板３３側へ向けて延出する板状部材である。第２脚部６５は、被覆部６１の上辺における略全域にわたって形成されている。第２脚部６５における増設基板３３側の端部には、固定部６５ａが形成されている。固定部６５ａは、第２脚部６５の増設基板３３側の端部から上方へ向けて延出している。
【００３８】
固定部６５ａには、前後方向を長手方向とする長円形状に形成される固定用孔６５ｂが形成されており、ビス等の締結部材を固定用孔６５ｂに挿通するとともに板金フレーム２７に締結することで、固定部６５ａが板金フレーム２７に固定される。本実施形態においては、固定部６５ａは、第２脚部６５の後端部の１箇所に形成されている。
【００３９】
第３脚部６６は、被覆部６１の前端から増設基板３３側へ向けて延出する板状部材である。第３脚部６６は、被覆部６１の前辺における上端部に形成されている。第３脚部６６における増設基板３３側の端部には、固定部６６ａが形成されている。固定部６６ａは、第３脚部６６の増設基板３３側の端部から前方へ向けて延出している。
【００４０】
固定部６６ａには、前後方向を長手方向とする長円形状に形成される固定用孔６６ｂが形成されており、ビス等の締結部材を固定用孔６６ｂに挿通するとともに板金フレーム２７に締結することで、固定部６６ａが板金フレーム２７に固定される。本実施形態においては、固定部６６ａは、第３脚部６６に１箇所形成されている。
【００４１】
第１延出部６２は、被覆部６１の板面から増設基板３３側へ向けて延出する第１板状部材である。第１延出部６２は、被覆部６１の孔部６１ａに対応する部分の前側の一部を、孔部６１ａの前側縁部にて増設基板３３側に屈曲して形成されている。
ここで、被覆部６１の孔部６１ａに対応する部分の「前側の一部」とは、「第１端子３７ｂと第２端子３６ｂとが嵌合する方向における第１端子保持部３７側の一部」である。また、孔部６１ａの「前側縁部」とは、「第１端子３７ｂと第２端子３６ｂとが嵌合する方向における第１端子保持部３７側の縁部」である。
【００４２】
第１延出部６２は、孔部６１ａの前側縁部から増設基板３３側へ向けて、被覆部６１の板面に対して垂直に延出する当接部６２ａと、前記第１板状部を当接部６２ａの増設基板３３側端部にて前方へ向けて屈曲することにより形成された折り返し部６２ｂとを有している。
当接部６２ａの板面は、第１端子３７ｂと第２端子３６ｂとが嵌合する方向に直交する面に形成されている。折り返し部６２ｂは、増設基板３３の板面と直交する方向に対して、被覆部６１側から増設基板３３側へ行くに従って前方へ向かう方向に傾斜している。
【００４３】
第２延出部６３は、被覆部６１の板面から増設基板３３側へ向けて延出する第２板状部材である。第２延出部６３は、被覆部６１の孔部６１ａに対応する部分の後側の一部を、孔部６１ａの後側縁部にて増設基板３３側に屈曲して形成されている。
ここで、被覆部６１の孔部６１ａに対応する部分の「後側の一部」とは、「第１端子３７ｂと第２端子３６ｂとが嵌合する方向における第２端子保持部３６ｃ側の一部」である。また、孔部６１ａの「後側縁部」とは、「第１端子３７ｂと第２端子３６ｂとが嵌合する方向における第２端子保持部３６ｃ側の縁部」である。
【００４４】
第２延出部６３は、孔部６１ａの後側縁部から増設基板３３側へ向けて延出する支持部６３ａと、前記第２板状部材を支持部６３ａの増設基板３３側端部にて被覆部６１側へ向けて屈曲することにより形成された押圧部６３ｂと、前記第２板状部材を押圧部６３ｂの被覆部６１側端部にて支持部６３ａ側へ向けて屈曲することにより形成された折り返し部６３ｃとを有している。押圧部６３ｂおよび折り返し部６３ｃは、支持部６３ａの前方に位置している。
【００４５】
支持部６３ａは、増設基板３３の板面と直交する方向に対して、被覆部６１側から増設基板３３側へいくに従って前方へ向かう方向に傾斜している。押圧部６３ｂは、増設基板３３の板面と直交する方向に対して、増設基板３３側から被覆部６１側へ行くに従って前方へ向かう方向に傾斜している。折り返し部６３ｃは、増設基板３３の板面と直交する方向に対して、増設基板３３側から被覆部６１側へ行くに従って後方へ向かう方向に傾斜している。
【００４６】
支持部６３ａの板面には、支持部６３ａの板面を貫通する孔部６３ｄが形成されている。孔部６３ｄは、支持部６３ａにおける増設基板３３側の部分に形成されており、支持部６３ａの増設基板３３側の端部から被覆部６１に至るまで形成されている。孔部６３ｄは第１孔部の一例である。
【００４７】
板金部材を屈曲して形成された第２延出部６３は弾性部材であり、第１端子３７ｂと第２端子３６ｂとが嵌合する方向に対する付勢力を発揮させる弾性を有している。
第２延出部６３には孔部６３ｄが形成されていて、第２延出部６３の板面の一部が除去された状態となっているため、第２延出部６３は、孔部６３ｄを形成しない場合に比べて弾性変形し易くなっている。
【００４８】
図９に示すように、シールド部材６０においては、第１延出部６２および第２延出部６３は、第２延出部６３における支持部６３ａの被覆部６１の板面からの延出長さＤ２が、第１延出部６２における当接部６２ａの被覆部６１の板面からの延出長さＤ１よりも大きくなるように形成されている。
また、第１延出部６２および第２延出部６３は、第１端子３７ｂと第２端子３６ｂとが嵌合する方向（前後方向）において、自然状態にある第１延出部６２と第２延出部６３との間の長さがＬ１となるように形成されている。
【００４９】
一方、図１０に示すように、互いに接続される第１端子保持部３７および第２端子保持部３６ｃにおいては、第１端子保持部３７の第１面３７ａと第２端子保持部３６ｃの第２面３６ａとの間の長さがＬ２となるように形成されている。長さＬ２は長さＬ１よりも大きく形成されている。
そして、シールド部材６０が板金フレーム２７に取り付けられた状態では、第１端子保持部３７および第２端子保持部３６ｃを第１延出部６２と第２延出部６３とで、前後方向に挟み込んだ状態となっている。この状態においては、第１延出部６２が第１端子保持部３７の第１面３７ａに当接し、第２端子保持部３６ｃの第２面３６ａに当接している。
【００５０】
また、第１端子保持部３７および第３ＵＳＢコネクタ３６を挟み込んだ状態の第１延出部６２と第２延出部６３との間の長さはＬ２となっている。
この場合、第２延出部６３は弾性部材にて形成されているため、シールド部材６０を板金フレーム２７に取り付ける際に、第１延出部６２と第２延出部６３とで第１端子保持部３７および第２端子保持部３６ｃを挟み込むと、第２延出部６３が後方向に弾性変形して、第１延出部６２と第２延出部６３との間の長さがＬ２となる。
【００５１】
このように、後方向に弾性変形した第１延出部６２と第２延出部６３とで第１端子保持部３７および第２端子保持部３６ｃを挟み込んだ状態では、第２延出部６３が前方向に対して付勢力を有しており、第２延出部６３は、第２端子保持部３６ｃの第２面３６ａを前方、即ち第１面３７ａ側へ押圧している。
【００５２】
第２延出部６３においては、押圧部６３ｂと折り返し部６３ｃとの境界部が前側へ凸となる形状に形成されており、押圧部６３ｂと折り返し部６３ｃとの境界部が第２面３６ａを押圧している。第１延出部６２においては、第１端子３７ｂと第２端子３６ｂとが嵌合する方向に直交する面である当接部６２ａの板面が第１面３７ａに当接している。
このように、シールド部材６０が板金フレーム２７に取り付けられた状態では、第１端子保持部３７および第２端子保持部３６ｃが第１延出部６２と第２延出部６３とで前後方向に挟み込まれるため、第１端子保持部３７の第１端子３７ｂが第３ＵＳＢコネクタ３６の第２端子３６ｂから抜け出ることが防止される。
【００５３】
ここで、第３ＵＳＢコネクタ３６の第２端子３６ｂと第１端子保持部３７の第１端子３７ｂとを嵌合した際、第２端子３６ｂと第１端子３７ｂとが嵌合する方向における、第２端子保持部３６ｃの第２面３６ａから第１端子保持部３７の第１面３７ａまでの寸法Ｌ２は、互いに接続される第２端子保持部３６ｃおよび第１端子保持部３７毎にばらつきが生じる。
【００５４】
従来技術では、コネクタが基板上に固定され、ケーブルのケーブルハウジングをコネクタとケーブルとが嵌合する方向の一側から押さえつけることで、そのコネクタからケーブルが抜けないようにしていた。しかし、装置を構成する各部品の公差によって、ケーブルハウジングの押さえ部材の最適な位置が、互いに嵌合されるコネクタおよびケーブル毎にそれぞれ異なり、ケーブルハウジングを押え部材により適切に押えることができないことがあった。
【００５５】
これに対し、本実施形態における画像形成装置１では、互いに接続された第２端子保持部３６ｃと第１端子保持部３７とを、シールド部材６０の第１延出部６２および第２延出部６３によって、第１端子３７ｂと第２端子３６ｂとが嵌合する方向における一側と他側の２方向から挟み込んでおり、かつ、第２延出部６３が前記嵌合する方向に対して付勢力を有している。
【００５６】
従って、第１延出部６２および第２延出部６３を、第１端子保持部３７の第１面３７ａから第２端子保持部３６ｃの第２面３６ａまでの長さＬ２のばらつきを吸収しつつ、適切な位置で第１面３７ａおよび第２面３６ａに当接させることができ、ＵＳＢケーブル３８が第３ＵＳＢコネクタ３６から抜けることを防ぐことが可能となっている。
【００５７】
本実施形態においては、第１延出部６２を、第１端子３７ｂと第２端子３６ｂとが嵌合する方向に直交する面を有した板状部材にて形成し、第２延出部６３を、前記嵌合する方向に対して付勢力を有する弾性部材にて形成しているが、第１延出部６２を、前記嵌合する方向に対して付勢力を有する弾性部材にて形成し、第２延出部６３を、前嵌合する方向に直交する面を有した板状部材にて形成することもできる。
また、第１延出部６２と第２延出部６３との両方を前記嵌合する方向に対して付勢力を有する弾性部材にて形成しても、第１端子保持部３７が第２端子保持部３６ｃから抜けることを防ぐことが可能である。
【００５８】
但し、本実施形態のように、第１延出部６２を、第１端子３７ｂと第２端子３６ｂとが嵌合する方向に直交する面を有した板状部材にて形成し、第２延出部６３を、前記嵌合する方向に対して付勢力を有する弾性部材にて形成した場合は、以下のような効果を奏することができる。
【００５９】
つまり、第３ＵＳＢコネクタ３６は、増設基板３３上に固定されているため安定しているが、ＵＳＢケーブル３８の第１端子保持部３７は第３ＵＳＢコネクタ３６の第２端子保持部３６ｃに接続されているだけで増設基板３３上には固定されていないため、ぐらつくことがある。
【００６０】
しかし、本実施形態のように、第２延出部６３を弾性部材にて形成し、第１延出部６２を前記嵌合する方向に直交する面を有した板状部材にて形成することで、第１端子保持部３７のぐらつきを抑制しながら、第２端子保持部３６ｃと第１端子保持部３７との両方を押さえることができる。
また、第１延出部６２を前記嵌合する方向に直交する面を有する板状部材にて構成し、この前記嵌合する方向に直交する面を第１端子保持部３７の第１面３７ａに当接させることで、第１延出部６２によりシールド部材６０の増設基板３３に対する前記嵌合する方向の位置決めをすることが可能となる。
【００６１】
なお、シールド部材６０においては、第２延出部６３が増設基板３３側から被覆部６１側へ行くに従って前方へ向かう方向に傾斜する押圧部６３ｂを有し、第１延出部６２が被覆部６１側から増設基板３３側へ行くに従って前方へ向かう方向に傾斜する折り返し部６２ｂを有しているため、第２延出部６３と第１延出部６２との間の間隔が被覆部６１側から増設基板３３側へ向かうにつれて大きくなっている。
これにより、シールド部材６０を装置本体２に取り付ける際に、第２端子保持部３６ｃおよび第１端子保持部３７を、第２延出部６３と第１延出部６２との間に円滑に誘い込むことが可能となっている。
【００６２】
また、第２延出部６３においては、押圧部６３ｂの被覆部６１側端部に連続して折り返し部６３ｃが形成されているため、押圧部６３ｂが第２端子保持部３６ｃの第２面３６ａを押圧したときに、押圧部６３ｂの被覆部６１側端部が第２面３６ａにくい込むことを抑制できる。
【００６３】
また、シールド部材６０においては、第２延出部６３における支持部６３ａの延出長さＤ２が、第１延出部６２における当接部６２ａの延出長さＤ１よりも大きくなるように形成されているとともに、第２延出部６３の支持部６３ａに孔部６３ｄが形成されているため、第２延出部６３は弾性変形し易くなっている。従って、第２延出部６３により第２端子保持部３６ｃの第２面３６ａを押圧するときに、押圧力が過度に大きくなることがなく、第３ＵＳＢコネクタ３６にかかる負荷を抑制することができる。
【００６４】
また、シールド部材６０においては、例えば板金部材をプレス成形により打ち抜くとともに屈曲させることにより、被覆部６１、第１延出部６２、第２延出部６３、第１脚部６４、第２脚部６５、および第３脚部６６が形成されている。
特に、第１延出部６２は、被覆部６１の孔部６１ａに対応する部分の前側の一部が、孔部６１ａの前側縁部にて増設基板３３側に屈曲した板状部材により形成され、第２延出部６３は、被覆部６１の孔部６１ａに対応する部分の後側の一部が、孔部６１ａの後側縁部にて増設基板３３側に屈曲した板状部材により形成されている。
【００６５】
このように、シールド部材６０における増設基板３３の平面に平行な面を有する被覆部６１を打ち抜いて屈曲することで、前後方向の互いに対向する位置に第１延出部６２および第２延出部６３を形成することが可能となる。これにより、第１延出部６２および第２延出部６３を容易に形成することができるとともに、部品点数を削減することができる。
【００６６】
図１０に示すように、第３ＵＳＢコネクタ３６の第２端子保持部３６ｃは略直方体形状に形成されており、少なくとも第２面３６ａが金属板３６に覆われている。本実施形態においては、第２端子３６ｂが形成されている面および増設基板３３に実装されている面を除いて金属板３６ｍにより覆われている。金属板３６ｍは、少なくとも第２面３６ａを覆う金属の一例である。
また、第１端子保持部３７は略直方体形状に形成されており、少なくとも第１面３７ａが樹脂部材にて形成されている。本実施形態においては、第１端子保持部３７の外周面が全体的に樹脂にて形成されている。
【００６７】
このように、第２端子保持部３６ｃの少なくとも第２面３６ａを金属で覆うことによって、第３ＵＳＢコネクタ３６側から第２延出部６３側へ静電気を流すことが可能となる。この場合、第２延出部６３は弾性部材にて構成されているため、第２延出部６３と第２端子保持部３６ｃの第２面３６ａを覆う金属板３６ｍとの接触性が良好となり、第３ＵＳＢコネクタ３６側からシールド部材６０側への静電気の流れを向上させることができる。
【００６８】
一方、第１端子保持部３７の少なくとも第１面３７ａは樹脂部材にて形成されていて静電気が流れないので、第１端子保持部３７に接触する第１延出部６２を弾性部材でない板状部材にて構成したとしても、不具合は生じない。
【００６９】
また、図１０に示すように、第２端子保持部３６ｃの第２端子３６ｂは、増設基板３３の基板面と直交する方向において、第２端子３６ｂに第１端子３７ｂが接続された状態の第１端子保持部３７が、増設基板３３の基板面から離間する位置に配置されている。
これにより、増設基板３３に実装された電子部品等と、第３ＵＳＢコネクタ３６に接続された第１端子保持部３７とが干渉することを防止可能となっている。
【００７０】
また、図３に示すように、ＵＳＢケーブル３８は、第１端子保持部３７から、第１端子３７ｂと第２端子３６ｂとが嵌合する方向と直交する方向、かつ増設基板３３の基板面に平行な面に沿った方向である下方へ向けて延出している。つまり、第１端子保持部３７は、第１端子３７ｂと第２端子３６ｂとが嵌合する方向と直交する方向にＵＳＢケーブル３８が延出する、所謂Ｌ字型のケーブルハウジングに形成されている。
【００７１】
これにより、ＵＳＢケーブル３８が、第１端子保持部３７および第２端子保持部３６ｃを保持するシールド部材６０の第１延出部６２および第２延出部６３に干渉することがない。また、ＵＳＢケーブル３８を増設基板３３の基板面に平行な面に沿って配線することが可能となっている。
【００７２】
また、本実施形態においては、雌側端子である第２端子３６ｂを有する第３ＵＳＢコネクタ３６を増設基板３３に設けて、第３ＵＳＢコネクタ３６の第２端子３６ｂに雄側端子である第１端子保持部３７の第１端子３７ｂを嵌合させるように構成している。
しかし、第３ＵＳＢコネクタ３６の第２端子３６ｂを雄側端子にて形成するとともに、第１端子保持部３７の第１端子３７ｂを雌側端子にて形成して、第１端子３７ｂを第２端子３６ｂに嵌合させるように構成することもできる。
【００７３】
但し、第３ＵＳＢコネクタ３６の第２端子３６ｂを雌側端子にて形成するとともに、第１端子保持部３７の第１端子３７ｂを雄側端子にて形成して、第２端子３６ｂに第１端子３７ｂを嵌合させるように構成した場合の方が、第３ＵＳＢコネクタ３６の第２端子３６ｂと第１端子保持部３７の第１端子３７ｂとの嵌合作業を容易にすることができる。
【００７４】
[本実施形態おける効果]
本実施形態においては、画像形成装置１は以下のように構成される。
つまり、画像形成装置１は、装置本体２と、増設基板３３と、シールド部材６０と、ＵＳＢケーブル３８と、第３ＵＳＢコネクタ３６とを備える。
増設基板３３は装置本体２に装着される基板である。シールド部材６０は、増設基板３３の平面に平行な面を有し、増設基板３３を覆う。ＵＳＢケーブル３８は、第１端子３７ｂと、第１端子３７ｂを保持し、かつ、第１端子３７ｂと対向する位置に第１面３７ａを有する第１端子保持部３７とを有する。第３ＵＳＢコネクタ３６は、第２端子３６ｂと、第２端子３６ｂを保持し、かつ、第２端子３６ｂと対向する位置に第２面３６ａを有する第２端子保持部３６ｃとを有し、第１端子３７ｂと第２端子３６ｂとが嵌合することによってＵＳＢケーブル３８が接続され、第２端子３６ｂと第１端子３７ｂとが嵌合する方向が増設基板３３の平面方向と平行な方向となるように、増設基板３３上に設けられる。
【００７５】
また、シールド部材６０は、シールド部材６０の被覆部６１における前記平行な面から延出する第１延出部６２と、シールド部材６０の被覆部６１における前記平行な面から延出する第２延出部６３とを有する。第１延出部６２は、第１端子保持部３７の第１面３７ａに当接し、第２延出部６３は、第２端子保持部３６ｃの第２面３６ａに当接する。第１延出部６２および第２延出部６３の少なくともいずれか一方は、第１端子３７ｂと第２端子３６ｂを嵌合する方向に対して付勢力を有する弾性部材である。
【００７６】
これにより、第１延出部６２および第２延出部６３を、第１端子保持部３７の第１面３７ａから第２端子保持部３６ｃの第２面３６ａまでの長さＬ２のばらつきを吸収しつつ、適切な位置で第１面３７ａおよび第２面３６ａに当接させることができ、ＵＳＢケーブル３８が第３ＵＳＢコネクタ３６から抜けることを防ぐことが可能となる。
【００７７】
また、第１延出部６２は、前記嵌合する方向に直交する面を有する板状部材であり、第２延出部６３は、前記嵌合する方向に対して付勢力を有する前記弾性部材である。
これにより、第１端子保持部３７のぐらつきを抑制しながら、第２端子保持部３６ｃと第１端子保持部３７との両方を押さえることができる。
【００７８】
また、第２端子保持部３６ｃの少なくとも第２面３６ａが金属で覆われ、第１端子保持部３７の少なくとも第１面３７ａが樹脂部材にて形成される。
これにより、第３ＵＳＢコネクタ３６側から第２延出部６３側へ静電気を流すことが可能となる。この場合、第２延出部６３と第２端子保持部３６ｃの第２面３６ａを覆う金属板３６ｍとの接触性が良好となり、第３ＵＳＢコネクタ３６側からシールド部材６０側への静電気の流れを向上させることができる。また、第１端子保持部３７に接触する第１延出部材６２を弾性部材でない板状部材にて構成したとしても、不具合は生じない。
【００７９】
また、第１延出部６２は、シールド部材６０の被覆部６１における前記平行な面の板面から増設基板３３側へ向けて延出する第１板状部材であり、前記第２延出部６３は、シールド部材６０の被覆部６１における前記平行な面の板面から増設基板３３側へ向けて延出する第２板状部材であり、前記第２板状部材の前記平行な面の板面からの延出長さＤ２が、前記第１板状部材の前記平行な面の板面からの延出長さＤ１よりも大きく、第２延出部６３は、前記第２板状部材における増設基板３３側部分の板面を貫通する孔部６３ｄを有する。
これにより、第２延出部６３により第２端子保持部３６ｃの第２面３６ａを押圧するときに、押圧力が過度に大きくなることがなく、第３ＵＳＢコネクタ３６にかかる負荷を抑制することができる。
【００８０】
また、シールド部材６０の被覆部６１における前記平行な面は、第２端子保持部３６ｃおよび第１端子保持部３７と対向する箇所に孔部６１ａを有し、第１延出部６２は、前記平行な面の孔部６１ａに対応する部分の前記嵌合する方向における第１端子保持部３７側の一部が、孔部６１ａの前記嵌合する方向における第１端子保持部３７側の縁部にて増設基板３３側に屈曲した板状部材により形成され、第２延出部６３は、前記平行な面の孔部６１ａに対応する部分の前記嵌合する方向における第２端子保持部３６ｃ側の一部が、孔部６１ａの前記嵌合する方向における第２端子保持部３６ｃ側の縁部にて増設基板３３側に屈曲した板状部材により形成される。
これにより、第１延出部６２および第２延出部６３を容易に形成することができるとともに、部品点数を削減することができる。
【００８１】
また、第２端子保持部３６ｃに保持される第２端子３６ｂは、増設基板３３の前記平面と直交する方向において、第２端子３６ｂに第１端子３７ｂが接続された第１端子保持部３７が増設基板３３の前記平面から離間する位置に配置されている。
これにより、増設基板３３に実装された電子部品等と、第３ＵＳＢコネクタ３６に接続された第１端子保持部３７とが干渉することを防止できる。
【００８２】
また、装置本体２に装着される増設基板３３およびシールド部材６０が通過可能な開口部２１ａを有し、装置本体２を覆う左側面カバー２１と、左側面カバー２１に揺動可能に支持され、開口部２１ａを閉塞する閉位置と開口部２１ａを開放する開位置との間で変位可能な開閉カバー２８とをさらに備え、開閉カバー２８が前記開位置に変位すると、シールド部材６０が開口部２１ａから露出し、開閉カバー２８が閉位置に変位すると、シールド部材６０が開閉カバー２８により覆われる。
このように、閉位置に変位した開閉カバー２８によりシールド部材６０を覆うことで、開閉カバー２８によりシールド部材６０を外力等から保護することができる。
【００８３】
また、第１端子保持部３７においては、第１端子３７ｂと第２端子３６ｂとが嵌合した際に、ＵＳＢケーブル３８が第１端子保持部３７から前記嵌合する方向と直交する方向、かつ増設基板３３の前記平面に平行な面に沿って延出する。
これにより、ＵＳＢケーブル３８が、第１端子保持部３７および第２端子保持部３６ｃを保持するシールド部材６０の第１延出部６２および第２延出部６３に干渉することがない。また、ＵＳＢケーブル３８を増設基板３３の基板面に平行な面に沿って配線することができる。
【００８４】
また、第１端子３７ｂは雄側端子にて構成され、第２端子３６ｂは雌側端子にて構成される。
これにより、第３ＵＳＢコネクタ３６の第２端子３６ｂと第１端子保持部３７の第１端子３７ｂとの嵌合作業を容易にすることができる。
【００８５】
また、第３ＵＳＢコネクタ３６はＵＳＢ規格に準拠したコネクタであり、ＵＳＢケーブル３８はＵＳＢ規格に準拠したケーブルである。
これにより、画像形成装置１および増設基板３３に対する情報の入出力をＵＳＢ経由で行うことが可能になる。
【符号の説明】
【００８６】
１    画像形成装置
２    装置本体
２１    左側面カバー
２１ａ  開口部
２８    開閉カバー
３３    増設基板
３６    第３ＵＳＢコネクタ
３６ａ  第２面
３６ｂ  第２端子
３６ｃ  第２端子保持部
３６ｍ  金属板
３７    第１端子保持部
３７ａ  第１面
３７ｂ  第１端子３７
３８    ＵＳＢケーブル
６０    シールド部材
６１    被覆部
６１ａ  孔部
６２    第１延出部
６２ａ  当接部
６２ｂ  折り返し部
６３    第２延出部
６３ａ  支持部
６３ｂ  押圧部
６３ｃ  折り返し部６３ｃ
６３ｄ  孔部
Ｄ１    （第１延出部の）延出長さ
Ｄ２    （第２延出部の）延出長さ
【図１】
2019091786.tif 000003
【図２】
2019091786.tif 000004
【図３】
2019091786.tif 000005
【図４】
2019091786.tif 000006
【図５】
2019091786.tif 000007
【図６】
2019091786.tif 000008
【図７】
2019091786.tif 000009
【図８】
2019091786.tif 000010
【図９】
2019091786.tif 000011
【図１０】
2019091786.tif 000012